(57)【要約】【解決手段】現金自動入金及び自動支払い操作を行う操作装置１と、該操作装置１から現金を回収する金庫装置２とを分離する。金庫装置２を床下に設置する。操作装置１と金庫装置２との間に水平に配設される防犯ドア３をスライド自在に設ける。防犯ドア３に開口した現金搬送口３Ａを通して操作装置１から金庫装置２に現金を回収する。防犯ドア３は、２重構造に積層され、各防犯ドア３がそれぞれ反対方向へスライドするように設けている。【効果】重機を用いた犯罪に対しても十分な防衛能力がある。ＡＴＭの現金回収作業、装填作業なども容易に行える【選択図】  図１
2004264988.tif 000002
【特許請求の範囲】
【請求項１】
現金自動入金及び自動支払い操作を行う操作装置と、該操作装置から現金を回収する金庫装置とを分離し、金庫装置を床下に設置した現金処理システムにおいて、操作装置と金庫装置との間に水平に配設される防犯ドアをスライド自在に設け、該防犯ドアに開口した現金搬送口を通して操作装置から金庫装置に現金を回収することを特徴とする現金処理システム。
【請求項２】
前記防犯ドアは、２重構造に積層され、各防犯ドアがそれぞれ反対方向へスライドする請求項１記載の現金処理システム。
【請求項３】
前記現金搬送口を通過する搬送用レールを設け、該搬送用レールを走行する現金装填回収装置を備えた請求項１又は２記載の現金処理システム。
【発明の詳細な説明】
【０００１】
【発明の属する技術分野】
本発明は、現金自動入金・自動支払い機（Ａｕｔｏｍａｔｉｃ  Ｔｅｌｌｅｒ  Ｍａｃｈｉｎｅ以下、ＡＴＭと称する）として用いられる現金処理システムに関する。
【０００２】
【従来の技術】
ＡＴＭの安全性を高める構造として、ＡＴＭの装置と金庫とを分離した現金自動取引装置が特許文献１に記載されている。この装置では、ＡＴＭの現金取引装置本体と金庫部分とを分離して設置するもので、たとえば、現金取引装置本体を机上に設置し、金庫部を床下に設置するようにしている。
【０００３】
一方、ＡＴＭの装置に紙幣や硬貨を補充する際に、人手によらず自動的に行える現金処理システムが特許文献２に記載されている。このシステムでは、ＡＴＭの装置内に延びる走行ガイドを設け、この走行ガイドに沿って受け渡し装置の移動台車を走行させ、搬送機構によってＡＴＭ装置に現金を受け渡すシステムである。
【０００４】
【特許文献１】
特開平１０‐３５６３号公報
【特許文献２】
特開平９‐９１４９１号公報
【０００５】
【発明が解決しようとする課題】
特許文献１の現金自動取引装置では、たとえば、現金取引装置本体を机上に設置し、金庫部を床下に設置することで、ＡＴＭの安全性を高めることができる。ところが、最近の犯罪では、重機を用いての犯罪が多発化しており、金庫部分を床下に設置しただけでは、床面の破壊なども容易に行われるので、簡単に強奪されるおそれがある。
【０００６】
しかも、金庫部と装置本体とを紙幣搬送路で接続する構成を採用しているので、この紙幣搬送路を通して金庫内部の現金が取り出されるおそれもある。
【０００７】
更に、金庫部を床下に設置すると、この金庫部から現金を回収し、必要な種類の現金を装填するといった日常の作業が極めて面倒な作業になるといった不都合が新たに生じる。
【０００８】
一方、特許文献２に記載された現金処理システムでは、紙幣や硬貨を自動的に搬送することは可能でも、重機を利用した犯罪に対しては、全く無防備といってよく、防犯性についての課題が残されている。
【０００９】
そこで、本発明は上述の課題を解消すべく創出されたもので、たとえ重機を用いた犯罪に対しても十分な防衛能力があり、また、ＡＴＭの現金回収作業、装填作業なども容易に行える現金処理システムの提供を目的とするものである。
【００１０】
【課題を解決するための手段】
上述の目的を達成すべく本発明の第１の手段は、現金自動入金及び自動支払い操作を行う操作装置１と、該操作装置１から現金を回収する金庫装置２とを分離し、金庫装置２を床下に設置した現金処理システムにおいて、操作装置１と金庫装置２との間に水平に配設される防犯ドア３をスライド自在に設け、該防犯ドア３に開口した現金搬送口３Ａを通して操作装置１から金庫装置２に現金を回収することにある。
【００１１】
第２の手段の防犯ドア３は、２重構造に積層され、各防犯ドア３がそれぞれ反対方向へスライドするように設けている。
【００１２】
第３の手段は、現金搬送口３Ａを通過する搬送用レール５を設け、該搬送用レール５を走行する現金装填回収装置６を備えたことを課題解消のための手段とする。
【００１３】
本発明によると、操作装置１から金庫装置２に回収された現金は、防犯ドア３によってガードされるので、たとえ重機を用いた盗難にあっても、確実に保護されるものである。
【００１４】
【発明の実施の形態】
以下、図面を参照して本発明の実施の形態を詳細に説明する。本発明システムは、ＡＴＭの現金自動入金及び自動支払い操作を行う操作装置１と、該操作装置１から現金を回収する金庫装置２とを分離して使用するシステムである。
【００１５】
また、本発明システムは、銀行、コンビニエンスストアー、スーパー、独立したキャッシュサービス店舗などに設置される。特に、夜間の監視体制等が手薄になりがちな独立したキャッシュサービス店舗等に設置するのが望ましい。
【００１６】
操作装置１は、ＡＴＭとしての通常の業務を行えるように、地上に設置する。一方、金庫装置２は、操作装置１から離して地下に設置する（図２、図３参照）。図示の金庫装置２は、地下室Ｐに設置しているが、床下に金庫装置２の設置スペースを設けて設置することも可能である（図示せず）。
【００１７】
防犯ドア３は、操作装置１と金庫装置２との間に水平に配設されている（図１参照）。この防犯ドア３は、スライド自在に設けられ、例えば、金庫装置２から現金を回収し、必要な種類の紙幣等を装填する際に開閉する。図１、図２に示す防犯ドア３は、１枚の金属板を示しているが、図３に示すごとく、防犯ドア３を２重構造に積層し、各防犯ドア３がそれぞれ反対方向へスライドするように設けることで、防犯性能飛躍的に高めることができる。また、防犯ドア３の材質は、金属材のほか、工業用プラスチックを使用することも可能であり、防犯ドア３全面を板状に形成する外、複数本の棒体を並べたものや格子構造の防犯ドア３を使用することができる。
【００１８】
防犯ドア３には、現金搬送口３Ａが設けられ、この現金搬送口３Ａを通して操作装置１から金庫装置２に現金を回収する。回収手段は、搬送用レール５と現金装填回収装置６とを使用する。
【００１９】
搬送用レール５は、現金搬送口３Ａを通過して操作装置１と金庫装置２とを連結する。更に、搬送用レール５を走行する現金装填回収装置６を装着する。現金装填回収装置６は、操作装置１と金庫装置２との所定位置に停止して、現金を受け渡す装置である。例えば、操作装置１に予定された種類の紙幣や貨幣を装填し、操作装置１に振り込まれた現金を、操作装置１から金庫装置２に回収する際に使用する。また、現金回収手段は、図示例に限られるものではなく、操作装置１と金庫装置２とを従来の紙幣搬送路で接続する構成を採用することも可能である。
【００２０】
また、現金装填回収装置６の現金装填操作及び、現金回収操作を、操作装置１に設置した状態、又は金庫装置２に設置した状態のいずれでも、これらの操作を行えるようにすることも可能である。こうすることで、現金装填回収装置６を操作装置１に設置した状態で、金庫部から現金を回収し、必要な種類の現金を装填するといった作業を、地上の操作装置１がわで行うことができる。この場合、金庫装置２等のメンテナンスを行う作業など、ごく限られた作業に限り、防犯ドア３を開けて地下室Ｐに作業員が入ることになる。
【００２１】
また、現金装填回収装置６を金庫装置２として形成し、金庫装置２自体が上下にスライドするようなシステムも可能である（図示せず）。このシステムでは、金庫装置２（現金装填回収装置６）の現金回収作業、又は現金装填作業を全て地上で行う。そして、夜間や一定の金額以上が振り込まれた場合に、金庫装置２を地下に移動するように設定するものである。
【００２２】
尚、図中符号４はスライドした防犯ドア３を停止せしめるストッパーであり、符号７は防犯ドア３の現金搬送口３Ａを覆うカバーである。
【００２３】
【発明の効果】
本発明は、上述の如く構成したことにより、当初の目的を達成する。
【００２４】
すなわち、現金自動入金及び自動支払い操作を行う操作装置１と、該操作装置１から現金を回収する金庫装置２とを分離し、金庫装置２を床下に設置したＡＴＭにおいて、操作装置１と金庫装置２との間に水平に配設される防犯ドア３をスライド自在に設け、該防犯ドア３に開口した現金搬送口３Ａを通して操作装置１から金庫装置２に現金を回収することにより、ＡＴＭの安全性を高めることができる。この結果、たとえ重機を用いた盗難にあっても、回収した現金を確実に保護することができる。
【００２５】
また、防犯ドア３は、２重構造に積層され、各防犯ドア３がそれぞれ反対方向へスライドするように設けたことで、金庫装置２の安全性を更に高めることができる。
【００２６】
さらに、現金搬送口３Ａを通過する搬送用レール５を設け、該搬送用レール５を走行する現金装填回収装置６を備えたことにより、コンパクトなサイズで現金を装填し、回収することが可能になる。
【００２７】
このように本発明によると、たとえ重機を用いた犯罪に対しても十分な防衛能力があり、また、ＡＴＭの現金回収作業、装填作業なども容易に行えるなどといった種々の効果を奏する。
【図面の簡単な説明】
【図１】本発明の一実施例を示す斜視図。
【図２】本発明の一実施例を示す側面図。
【図３】本発明の他の実施例を示す側面図。
【符号の説明】
Ｐ  地下室
１  操作装置
２  金庫装置
３  防犯ドア        ３Ａ  現金搬送口
４  ストッパー
５  搬送用レール
６  現金装填回収装置
７  カバー
【図１】
2004264988.tif 000003
【図２】
2004264988.tif 000004
【図３】
2004264988.tif 000005